(57)【要約】【課題】少量の加熱で板バネとコイルとを接続して熱によるレンズ保持部材の破損を防止すること。【解決手段】レンズ体が保持されるレンズ保持部材（５）の周囲にコイル（５９）を取り付け、コイル（５９）に磁気回路が作用してレンズ保持部材（５）が光軸方向に移動するようにヨーク（７）及び磁石（６）を設け、光軸方向において下板バネ（４）によってレンズ保持部材（５）を支持させたレンズ駆動装置（１）の製造方法であって、レンズ保持部材（５）に設けた絡げピン（５７）にコイル（５９）の端部を巻き付け、下板バネ（４）に形成された切欠部（６３）の近傍において、絡げピン（５７）に巻き付けられたコイル（５９）の端部を、半田ペースト（６５）を介して下板バネ（４）に電気的に接続した。【選択図】図３
2012242647.tif 000002
【特許請求の範囲】
【請求項１】
レンズ体が保持されるレンズ保持部材と、
前記レンズ保持部材の周囲に取り付けられたコイルと、
前記コイルに作用する磁気回路を形成し、前記レンズ保持部材を光軸方向に移動させる移動機構と、
前記光軸方向において前記レンズ保持部材を支持する付勢部材とを備え、
前記レンズ保持部材には、前記コイルの端部が巻きつけられる絡げピンが設けられ、
前記絡げピンに巻き付けられたコイルの端部は、前記付勢部材に電気的に接合され、
前記付勢部材には、前記コイルの端部との接合部分近傍に切欠部が形成されたことを特徴とするレンズ駆動装置。
【請求項２】
前記絡げピンに巻き付けられたコイルの端部は、溶融接合材を介して前記付勢部材に接合されることを特徴とする請求項１に記載のレンズ駆動装置。
【請求項３】
前記絡げピンが、前記レンズ保持部材と同一材料で一体に形成されたことを特徴とする請求項１又は請求項２に記載のレンズ駆動装置。
【請求項４】
前記コイルの端部の表面を覆う絶縁被膜が剥がれていることを特徴とする請求項１から請求項３のいずれかに記載のレンズ駆動装置。
【請求項５】
前記付勢部材は、前記レンズ保持部材に固定されていることを特徴とする請求項１から請求項４のいずれかに記載のレンズ駆動装置。
【請求項６】
レンズ体が保持されるレンズ保持部材の周囲にコイルを取り付け、前記コイルに磁気回路が作用して前記レンズ保持部材が光軸方向に移動するように移動機構を設け、前記光軸方向において付勢部材によって前記レンズ保持部材を支持させたレンズ駆動装置の製造方法であって、
前記レンズ保持部材に設けた絡げピンに前記コイルの端部を巻き付ける工程と、
前記付勢部材に形成された切欠部の近傍において、前記絡げピンに巻き付けられた前記コイルの端部を前記付勢部材に電気的に接合する工程とを有することを特徴とするレンズ駆動装置の製造方法。
【請求項７】
前記コイルの端部を前記付勢部材に電気的に接合する工程において、溶融接合材を介して接合することを特徴とする請求項６に記載のレンズ駆動装置の製造方法。
【請求項８】
前記コイルの端部を前記絡げピンに巻き付ける前に、前記コイルの端部の表面を覆う絶縁被膜を剥がす工程を有することを特徴とする請求項６又は請求項７に記載のレンズ駆動装置の製造方法。
【請求項９】
前記コイルの端部を前記付勢部材に接合する前に、前記付勢部材を前記レンズ保持部材に固定する工程を有することを特徴とする請求項６から請求項８のいずれかに記載のレンズ駆動装置の製造方法。
【発明の詳細な説明】
【技術分野】
【０００１】
本発明は、カメラ付きの携帯電話等に搭載される小型のレンズ駆動装置及びレンズ駆動装置の製造方法に関する。
【背景技術】
【０００２】
従来、小型のレンズ駆動装置として、レンズが保持されたレンズ保持部材を光軸方向に磁気駆動するものが知られている（例えば、特許文献１参照）。特許文献１に記載のレンズ駆動装置では、外周面にコイルを巻回したレンズ保持部材をベース部材に載置し、上方からヨークを被せることで構成される。ヨークの各側壁部の内側面には、それぞれ磁石が固定されており、レンズ保持部材に保持されたコイルの周囲に磁石が位置付けられている。そして、レンズ駆動装置は、ヨークと磁石とによって磁気回路を形成し、コイルの通電によって生じる電磁力によりレンズ保持部材を光軸方向に移動させている。
【０００３】
また、ロアケースとレンズ保持部材との間には、レンズ保持部材を復帰させる板バネが配置されている。板バネは、２つのバネ片に分割されており、一方のバネ片にコイルの巻き始めの一端部が接続され、他方のバネ片にコイルの巻き終わりの他端部が接続されている。この場合、コイルの両端部は、レンズ保持部材の下端に圧入された一対の絡げピンに巻きつけられ、それぞれ溶接等によって各バネ片に接続される。このように、バネ片は、コイルを通電させるための導通路としても機能する。
【先行技術文献】
【特許文献】
【０００４】
【特許文献１】特開２０１０−２８６５３２号公報
【発明の概要】
【発明が解決しようとする課題】
【０００５】
しかしながら、上記したようなレンズ駆動装置においては、溶接等によってコイルの両端部と板バネとを接続するため、絡げピンとして耐熱性の高いものを使用しなければならなかった。また、絡げピンとして金属製のピンを用いた場合には、溶接時に絡げピンに伝わる熱によって、樹脂製のレンズ保持部材から絡げピンが抜け落ちるおそれがあった。
【０００６】
本発明はこのような実情に鑑みてなされたものであり、少量の加熱で板バネとコイルとを接続して熱によるレンズ保持部材の破損を防止することができるレンズ駆動装置及びレンズ駆動装置の製造方法を提供することを目的とする。
【課題を解決するための手段】
【０００７】
本発明のレンズ駆動装置は、レンズ体が保持されるレンズ保持部材と、前記レンズ保持部材の周囲に取り付けられたコイルと、前記コイルに作用する磁気回路を形成し、前記レンズ保持部材を光軸方向に移動させる移動機構と、前記光軸方向において前記レンズ保持部材を支持する付勢部材とを備え、前記レンズ保持部材には、前記コイルの端部が巻きつけられる絡げピンが設けられ、前記絡げピンに巻き付けられたコイルの端部は、前記付勢部材に電気的に接合され、前記付勢部材には、前記コイルの端部との接合部分近傍に切欠部が形成されたことを特徴とする。
【０００８】
本発明のレンズ駆動装置の製造方法は、レンズ体が保持されるレンズ保持部材の周囲にコイルを取り付け、前記コイルに磁気回路が作用して前記レンズ保持部材が光軸方向に移動するように移動機構を設け、前記光軸方向において付勢部材によって前記レンズ保持部材を支持させたレンズ駆動装置の製造方法であって、前記レンズ保持部材に設けた絡げピンに前記コイルの端部を巻き付ける工程と、前記付勢部材に形成された切欠部の近傍において、前記絡げピンに巻き付けられた前記コイルの端部を前記付勢部材に電気的に接合する工程とを有することを特徴とする。
【０００９】
これらの構成によれば、付勢部材に形成された切欠部によって、付勢部材とコイル端部との接合時の熱の逃げが抑制され、少量の加熱で付勢部材とコイル端部とを接合することができる。これにより、絡げピンに伝わる熱を抑えることができるため、熱による絡げピンの破損を防止でき、絡げピンを耐熱性材料で形成する必要がない。また、絡げピンを樹脂製のレンズ保持部材と別体に形成した場合には、絡げピンがレンズ保持部材から抜け落ちることを防止することもできる。なお、切欠部とは、付勢部材を切り欠いて形成した開口部を含むものである。
【００１０】
また本発明は、上記レンズ駆動装置において、前記絡げピンに巻き付けられたコイルの端部は、溶融接合材を介して前記付勢部材に接合される。また、本発明は、上記レンズ駆動装置の製造方法において、前記コイルの端部を前記付勢部材に電気的に接合する工程において、溶融接合材を介して接合する。これらの構成によれば、少量の加熱で溶融接合材を溶かして付勢部材とコイル端部とを接合することができる。
【００１１】
また本発明は、上記レンズ駆動装置において、前記絡げピンが、前記レンズ保持部材と同一材料で一体に形成されている。この構成によれば、絡げピンに伝わる熱が抑えられるため、レンズ保持部材と絡げピンとを同一材料で一体に形成しても、熱によって絡げピンが破損することがない。また、部品点数を減らしてコストを低減できる。
【００１２】
また本発明は、上記レンズ駆動装置において、前記コイルの端部の表面を覆う絶縁被膜が剥がれている。また、本発明は、上記レンズ駆動装置の製造方法において、前記コイルの端部を前記絡げピンに巻き付ける前に、前記コイルの端部の表面を覆う絶縁被膜を剥がす工程を有している。これらの構成によれば、付勢部材とコイルの端部との溶融接合材を介した接合を良好に行うことができる。
【００１３】
また本発明は、上記レンズ駆動装置において、前記付勢部材は、前記レンズ保持部材に固定されている。また、本発明は、上記レンズ駆動装置の製造方法において、前記コイルの端部を前記付勢部材に接合する前に、前記付勢部材を前記レンズ保持部材に固定する工程を有している。これらの構成によれば、付勢部材とレンズ保持部材とが固定されるため、付勢部材とコイルの端部との溶融接合材を介した接合を良好に行うことができる。
【発明の効果】
【００１４】
本発明によれば、少量の加熱で板バネとコイルとを接続して熱によるレンズ保持部材の破損を防止することができる。
【図面の簡単な説明】
【００１５】
【図１】本発明に係るレンズ駆動装置の実施の全体斜視図である。
【図２】本実施の形態に係るレンズ駆動装置の分解斜視図である。
【図３】本実施の形態に係るコイルと下板バネとの接合部分の説明図である。
【図４】本実施の形態に係るコイルと下板バネとの接合部分の部分拡大図である。
【図５】本実施の形態に係るレンズ駆動装置の組み立て作業の前半の説明図である。
【図６】本実施の形態に係るレンズ駆動装置の組み立て作業の後半の説明図である。
【図７】本実施の形態に係るレンズ駆動装置の動作説明図である。
【発明を実施するための形態】
【００１６】
以下、本発明の実施の形態について添付図面を参照して詳細に説明する。なお、以下のレンズ駆動装置は一例であり、これに限定されるものではない。レンズ駆動装置において、板バネとコイルの端部とを電気的に接続するものであれば、本発明を適用可能である。
【００１７】
図１は、本実施の形態に係るレンズ駆動装置の全体斜視図である。図２は、本実施の形態に係るレンズ駆動装置の分解斜視図である。
【００１８】
図１及び図２に示すように、レンズ駆動装置１は、イメージセンサ（不図示）を実装した基板上に取り付けられており、イメージセンサに対してレンズ体（不図示）を光軸方向に駆動させて焦点距離を調整するものである。レンズ駆動装置１においては、外部端子３が取り付けられたロアケース２上に、下板バネ４（付勢部材）を介してレンズ保持部材５が取り付けられている。レンズ保持部材５の周囲には、コイル５９が巻回されており、このコイル５９を覆うように磁石６付きのヨーク７（移動機構）がロアケース２に固定される。ヨーク７の上面には、上板バネ８を介してトップカバー９が取り付けられる。
【００１９】
ロアケース２は、合成樹脂によって下面を開口した薄厚の箱状に形成されている。ロアケース２の上壁部の中央には、矩形状の開口部２１が形成されており、この開口部２１を介して基板上のイメージセンサを上方に露出させている。矩形状の開口部２１の周囲には、ロアケース２の中央側への異物の進入を防止する環状凸部２２が形成されている。ロアケース２の上壁部の４隅には、下板バネ４の位置決め用の位置決め凸部２３と、下板バネ４の固定用の突起部２４とが形成されている。位置決め凸部２３及び突起部２４により、ロアケース２上において下板バネ４が前後左右に位置決めされた状態で取り付けられる。
【００２０】
また、ロアケース２には、導電性の金属プレート２５がインサート成形されている。金属プレート２５は、ロアケース２から部分的に露出されており、ヨーク７が電気的に接続される。ロアケース２の隣接する２隅周辺には、一対の外部端子３を取り付ける一対の取付孔２６及び突起部２７が形成されている。一対の外部端子３は、導電性の金属板の一部を折り曲げて形成されている。外部端子３は、折り曲げられた側板部を取付孔２６に挿入し、平板部に形成された挿通孔３１から突起部２７を突出させた状態で、突起部２７の熱カシメによりロアケース２に固定される。
【００２１】
下板バネ４は、導電性のリン青銅等によって形成され、一対のバネ片４１により構成されている。一対のバネ片４１は、ロアケース２の環状凸部２２に沿うように中央に開口を形成するように配置されている。各バネ片４１は、径方向外側に位置する外側板部４２と、径方向内側に位置する内側板部４３と、外側板部４２及び内側板部４３を接続する蛇行形状のバネ板部４４とを有している。外側板部４２には、ロアケース２の突起部２４に対応して挿通孔４６が形成され、内側板部４３には、レンズ保持部材５の突起部５６（図３参照）に対応して挿通孔４５が形成されている。
【００２２】
外側板部４２は、挿通孔４６からロアケース２の突起部２４を突出させて、突起部２４の熱カシメによりロアケース２に固定される。内側板部４３は挿通孔４５からレンズ保持部材５の突起部５６を突出させて、突起部５６の熱カシメによりレンズ保持部材５に固定される。このように、ロアケース２とレンズ保持部材５は、下板バネ４を介して連結される。また、各バネ片４１のバネ板部４４は、レンズ保持部材５に対してロアケース２側に向けて付勢力を作用させている。また、一対のバネ片４１は、それぞれ一対の外部端子３に電気的に接合されると共に、コイル５９の端部に電気的に接合されている。
【００２３】
レンズ保持部材５は、合成樹脂により形成され、内周面に雌ねじ部５１が形成された筒状部５２と、筒状部５２の下端部から径方向外側に突出したフランジ部５３とを有している。筒状部５２の内側には、外周面に雄ねじ部が形成されたレンズユニット（不図示）が装着される。筒状部５２の外周面には、コイル５９を内側から支持する４つのコイル支持部５４が突出して形成されている。筒状部５２に設けたコイル支持部５４に、導線が巻回されることで八角形の筒状のコイル５９が形成される。この場合、コイル５９と筒状部５２との間には、後述するヨーク７の内壁部７４が介在する隙間が形成されている。
【００２４】
フランジ部５３には、ヨーク７の内壁部７４に対応して切り欠かれた逃げ部５５が形成されている。この逃げ部５５により、レンズ保持部材５の上方への移動時に、ヨーク７の内壁部７４の下端部とフランジ部５３との干渉が防止される。レンズ保持部材５の下部には、下板バネ４の固定用の複数の突起部５６と、コイル５９の両端部が巻きつけられる一対の絡げピン５７とが形成されている（図３参照）。コイル５９の一端部は、一方の絡げピン５７に巻き付けられた状態で一方のバネ片４１に接合され、コイル５９の他端部は、他方の絡げピン５７に巻き付けられた状態で他方のバネ片４１に接合されている。また、レンズ保持部材５の下部には、ロアケース２に当接される４つの脚部５８が形成されている。
【００２５】
ヨーク７は、下面を開口した箱型であり、上壁部７１にレンズ保持部材５の筒状部５２を露出する窓部７２が形成されている。また、ヨーク７には、上面視矩形状の外周壁部７３の四隅に対して間隔を空けて対向する４つの内壁部７４が形成されている。各内壁部７４は、コイル５９と筒状部５２との隙間に挿通される。外周壁部７３の内周面の四隅には、それぞれ磁石６（移動機構）が取り付けられている。磁石６は、ヨーク７の角部に合わせて上面視台形状に形成され、内壁部７４の壁面に対して平行な磁極面を有している。ヨーク７の四隅においては、磁石６と内壁部７４との間にコイル５９が配置される。
【００２６】
そして、ヨーク７と磁石６とにより磁気回路が形成され、コイル５９が通電されることにより、レンズ保持部材５が光軸方向に駆動される。また、ヨーク７の下部は、ロアケース２の金属プレート２５に接合される縁部７５が形成されている。ヨーク７の上壁部７１の四隅には、トップカバー９の取付用の挿通孔７６が形成されている。
【００２７】
上板バネ８は、リン青銅等によって形成され、ヨーク７の窓部７２よりも小径な開口部８１を有している。上板バネ８は、径方向外側に位置する外側板部８２と、径方向内側に位置する内側板部８３と、外側板部８２及び内側板部８３を接続するバネ板部８４とを有している。外側板部８２には、ヨーク７の挿通孔７６に対応して切欠部８５が形成されている。また、内側板部８３は、筒状部５２の上端面に接着剤により固定される。上板バネ８のバネ板部８４は、レンズ保持部材５に対してロアケース２側に向けて付勢力を作用させている。
【００２８】
トップカバー９は、合成樹脂により矩形枠状に形成されている。トップカバー９の四隅には、下面から突出する上板バネ８の固定用の突起部９１が形成されている。トップカバー９は、上板バネ８の切欠部８５及びヨーク７の挿通孔７６に突起部９１を挿通させた状態で、突起部９１の熱カシメにより、上板バネ８及びヨーク７と一体化される。なお、レンズ駆動装置１の組み立て作業の詳細については後述する。
【００２９】
ここで、図３及び図４を参照して、コイルと下板バネとの接合部分について詳細に説明する。図３は、本実施の形態に係るコイルと下板バネとの接合部分の説明図である。図４は、図３の拡大図である。なお、図３及び図４は、レンズ保持部材の下面を上方から見た図である。
【００３０】
図３及び図４に示すように、一対のバネ片４１の内側板部４３は、半円状に延在しており、延在方向の３箇所においてレンズ保持部材５の下面に固定されている。内側板部４３は、延在方向の両端位置及び中間位置の固定板部６１ａ−６１ｃにおいて熱カシメされている。中間位置の固定板部６１ｂは、レンズ保持部材５の下面から突出した絡げピン５７及び脚部５８を避けるように切り欠かれている。この中間位置の固定板部６１ｂには、絡げピン５７に沿って、コイル５９の端部に接合される接合部６２が形成されている。接合部６２は、絡げピン５７の周囲の略半部を囲うように形成されている。
【００３１】
また、中間位置の固定板部６１ｂには切欠部６３が形成されている。この切欠部６３によって、中間位置の固定板部６１ｂがコイル５９に接合される接合部６２側とレンズ保持部材５に固定される固定部６４側とに分けられている。固定板部６１ｂの接合部６２側と固定部６４側とは、切欠部６３によって狭められた連結部分によって連結されている。また、接合部６２は、片端側に位置する固定板部６１ａに対して円弧状の細長い連結部分によって連結されている。このように、バネ片４１は、連結部分を狭めることによって、半田付けによって接合部６２における熱の逃げを抑制するように形成されている。
【００３２】
一対の絡げピン５７には、それぞれコイル５９の端部がそれぞれ巻回されている。この場合、一対の絡げピン５７に巻回されたコイル５９の端部は、表面を覆う絶縁被膜が剥がされている。そして、コイル５９の端部の絶縁被膜が剥がされ、バネ片４１がレンズ保持部材５に熱カシメにて固定された後に、バネ片４１がコイル５９の端部に半田付けされる。このため、コイル５９の端部と半田ペースト６５との密着性が高められ、バネ片４１がレンズ保持部材５に対して安定姿勢で保持されることから、バネ片４１の接合部６２とコイル５９の端部とを半田付けにより良好に接合できる。
【００３３】
バネ片４１の接合部６２とコイル５９の端部との半田付け時には、上記したように切欠部６３によって接合部６２における熱の逃げが抑制される。したがって、半田ペースト６５に対する少量の加熱により、半田ペースト６５を溶融させることができる。このため、絡げピン５７を損傷させない程度の温度に抑えて、バネ片４１の接合部６２とコイル５９の端部との半田付けを行うことができる。また、絡げピン５７の損傷が防止されるため、絡げピン５７（レンズ保持部材５）を耐熱性材料で形成する必要がない。
【００３４】
ところで、接合部６２の内縁部とコイル５９の素面との間には僅かな隙間Ｌが形成されている。この隙間Ｌは、自動機によってバネ片４１をレンズ保持部材５に設置する際に必要となっている。一般に、コイルと接合部との間に隙間が形成されると、半田ペーストが広がり易くなり、接合部とコイルの端部とを十分に接合できないおそれがある。具体的には、半田ペーストに含まれるフラックスによって、半田ペーストがコイルの素面から離れ易くなり、接合部とコイルとの間に良好な半田ブリッジを形成することが困難となっていた。
【００３５】
しかしながら、本実施の形態に係るバネ片４１では、切欠部６３によって接合部６２と固定部６４との連結部分が幅狭に形成されており、接合部６２側から固定部６４側への半田ペースト６５の広がりが抑制されている。このため、半田ペースト６５が絡げピン５７の周囲に留まって接合部６２とコイル５９との密着性が維持され、接合部６２とコイル５９との間に良好な半田ブリッジが形成される。このように、本実施の形態に係るレンズ駆動装置１では、絡げピン５７が損傷することを防止すると共に、バネ片４１とコイル５９の端部とを良好に半田付けすることが可能となっている。
【００３６】
なお、本実施の形態では、自動機によってバネ片４１をレンズ保持部材５に設置する構成としたが、この構成に限定されない。手動によってバネ片４１をレンズ保持部材５に設定する構成としてもよい。この場合には、接合部６２の内縁部とコイル５９の素面との間に隙間が形成されないように設置されることが好ましい。
【００３７】
次に、図５を参照して、レンズ駆動装置の組み立て作業について説明する。図５は、本実施の形態に係るレンズ駆動装置の組み立て作業の前半の説明図である。図６は、本実施の形態に係るレンズ駆動装置の組み立て作業の後半の説明図である。なお、以下の組み立て作業は、自動機によって自動で実施可能な作業である。
【００３８】
図５Ａに示すように、接着剤によってヨーク７の四隅の角部にそれぞれ磁石６が固定される。このとき、磁石６の磁極面は、ヨーク７の内壁部７４の壁面に対して所定の間隔を空けて対向される（図７参照）。次に、図５Ｂに示すように、ヨーク７の上面に上板バネ８が載置され、上方からトップカバー９が取り付けられる。このとき、トップカバー９の四隅の突起部９１が、それぞれ上板バネ８の四隅の切欠部８５及びヨーク７の四隅の挿通孔７６に挿通される。そして、トップカバー９の各突起部９１が熱カシメされることで、トップカバー９、上板バネ８及びヨーク７が一体化される。
【００３９】
一方、図５Ｃに示すように、レンズ保持部材５の外周には、コイル５９が巻きつけられる。このとき、レンズ保持部材５には、フランジ部５３に形成された逃げ部５５を介して巻き付け用の治具９５が取り付けられており、この治具９５によってコイル５９の巻きダレが防止される。また、コイル５９の両端部は、レーザ等により絶縁被膜が除去された後に、一対の絡げピン５７に巻き付けられる。次に、図５Ｄに示すように、レンズ保持部材５の下部に一対のバネ片４１が取り付けられる。このとき、レンズ保持部材５の突起部５６が、それぞれ一対のバネ片４１の挿通孔４５に挿通される。そして、レンズ保持部材５の突起部５６が熱カシメされることで、レンズ保持部材５と一対のバネ片４１とが一体化される。
【００４０】
また、絡げピン５７に巻回されたコイル５９の端部と一対のバネ片４１の接合部６２とがレーザ半田付けされる。このとき、接合部６２近傍の切欠部６３によって、接合部６２における熱の逃げが抑えられ、少量の加熱で半田ペースト６５が溶融される。また、接合部６２近傍の切欠部６３によって、半田ペースト６５の拡散が抑えられ、コイル５９と接合部６２との間に良好な半田ブリッジが形成される。これにより、一対のバネ片４１とコイル５９の両端部とが電気的に接続される。
【００４１】
また、図６Ａに示すように、ロアケース２には、一対の外部端子３が取り付けられる。このとき、外部端子３は、側板部をロアケース２の取付孔２６に挿通させると共に、挿通孔３１からロアケース２の突起部２７を突出させる。そして、ロアケース２の突起部２７が熱カシメされることで、ロアケース２と一対の外部端子３とが一体化される。
【００４２】
このようにして、組み立てられたロアケース２上には、図６Ｂに示すように、コイル５９付きのレンズ保持部材５が載置され、一対のバネ片４１を介してロアケース２とレンズ保持部材５が取り付けられる。このとき、一対のバネ片４１の挿通孔４６に、ロアケース２の突起部２４が挿通され、突起部２４が熱カシメされることで、ロアケース２とレンズ保持部材５とが一体化される。また、一対のバネ片４１は、それぞれ外部端子３にレーザ溶接により接合される。これにより、一対の外部端子３とコイル５９の両端部とが、一対のバネ片４１を介してコイル５９の両端部に電気的に接続される。
【００４３】
ロアケース２とレンズ保持部材５とが一体化されると、図６Ｃに示すように、トップカバー９付きのヨーク７が上方から被せられる。このとき、ヨーク７の内壁部７４が、レンズ保持部材５のコイル５９と筒状部５２との隙間に挿通される。これにより、ヨーク７の四隅において、磁石６と内壁部７４との間にコイル５９が介在されて磁気回路が形成される。また、ヨーク７の縁部７５が、ロアケース２の金属プレート２５上に載置され、レーザ溶接により金属プレート２５に接合される。
【００４４】
そして、図６Ｄに示すように、筒状部５２の上端面と上板バネ８の内側板部８３とに対して、ヨーク７の窓部７２を介して接着剤が塗布される。これにより、ヨーク７及びトップカバー９とレンズ保持部材５とが、上板バネ８を介して連結される。このようにして、組み立てられたレンズ駆動装置１は、レンズ保持部材５の上下に設けられた板バネ４、８により、ロアケース２側に向けて付勢されている。そして、レンズ駆動装置１は、レンズ保持部材５の巻き付けられたコイル５９が通電されることで、板バネ４、８の付勢力に抗してレンズ保持部材５が光軸方向に移動される。
【００４５】
以下、図７を参照して、レンズ駆動装置の動作について説明する。図７は、本実施の形態に係るレンズ駆動装置の動作説明図である。
【００４６】
図７に示すように、ヨーク７の外周壁部７３の四隅に磁石６が固定され、磁石６の磁極面に対向して内壁部７４が位置されており、レンズ駆動装置１の四隅に磁気回路が形成される。磁石６と内壁部７４との間には、レンズ保持部材５に巻き付けられたコイル５９が介在されている。磁気回路は、磁石６の磁極面に発生した磁束線がコイル５９を通過して内壁部７４に向うように形成されている。レンズ保持部材５は、上板バネ８及び下板バネ４により、ロアケース２側にプリテンションが作用されている。
【００４７】
この初期状態で、コイル５９が通電されると、コイル５９に対して光軸方向に電磁力が発生する。このコイル５９に発生した電磁力により、レンズ保持部材５が、上板バネ８及び下板バネ４の付勢力に抗して光軸方向に移動し、不図示のレンズ体とイメージセンサとの焦点距離が調整される。この場合、ヨーク７の内壁部７４と磁石６の磁極面とが平行であるため、コイル５９を通過する磁束線の量が多く、磁気回路をレンズ駆動装置１の四隅にしか形成していなくても十分な駆動力を発生させることが可能となる。そして、コイル５９に対する通電が停止されると、上板バネ８及び下板バネ４の復帰力により、レンズ保持部材５が初期位置に引き戻される。
【００４８】
以上のように、本実施の形態に係るレンズ駆動装置１によれば、バネ片４１に形成された切欠部６３によって、バネ片４１とコイル５９の端部との溶融接合時の熱の逃げが抑制され、少量の加熱で溶融接合材を溶かしてバネ片４１とコイル５９の端部とを接合することができる。これにより、絡げピン５７に伝わる熱を抑えることができるため、熱による絡げピン５７の破損を防止でき、絡げピン５７を耐熱性材料で形成する必要がない。
【００４９】
なお、本発明は上記実施の形態に限定されず、種々変更して実施することが可能である。上記実施の形態において、添付図面に図示されている大きさや形状などについては、これに限定されず、本発明の効果を発揮する範囲内で適宜変更することが可能である。その他、本発明の目的の範囲を逸脱しない限りにおいて適宜変更して実施することが可能である。
【００５０】
例えば、本実施の形態において、絡げピンがレンズ保持部材と同一材料で一体に形成される構成としたが、この構成に限定されない。絡げピンは、レンズ保持部材と別材料により形成されて、レンズ保持部材に設けられてもよい。例えば、絡げピンを金属で形成して、合成樹脂製のレンズ保持部材に圧入してもよい。この場合であっても、絡げピンに伝わる熱が抑えられるため、絡げピンがレンズ保持部材から抜け落ちることを防止できる。
【００５１】
また、本実施の形態において、バネ片を内縁側から切り欠いてバネ片とコイル端部との溶融接合時の熱の逃げを抑制する構成としたが、この構成に限定されるものではない。切欠部は、溶融接合時の熱の逃げを抑制するように形成されていればよく、例えばバネ片を切り欠いて形成した開口部であってもよい。また、バネ片には、複数の切欠部が形成されてもよい。
【００５２】
また、本実施の形態において、付勢部材として一対のバネ片にコイルの端部を接合する構成としたが、この構成に限定されない。付勢部材は、レンズ保持部材を支持するものであれば、どのようなものでもよい。
【００５３】
また、本実施の形態において、移動機構として磁石とヨークにより磁気回路を形成したが、この構成に限定されない。移動機構は、磁気回路を形成する構成であれば、どのような構成でもよい。
【００５４】
また、本実施の形態において、溶融接合材として半田ペーストを例示して説明したが、この構成に限定されない。溶融接合材は、コイルの端部と付勢部材とを溶融接合可能な材料であれば、どのような材料でもよい。
【００５５】
また、本実施の形態において、自動機によりレンズ駆動装置を組み立てる構成としたが、この構成に限定されない。手動によりレンズ駆動装置を組み立てる構成としてもよいし、自動機と手動とを組み合わせてレンズ駆動装置を組み立てる構成としてもよい。
【００５６】
また、本実施の形態において、上記した組み立て順序に限定されるものではない。例えば、絡げピンにコイルの端部を巻き付けた後に、コイルの端部の絶縁被膜を剥がしてもよい。また、本付勢部材をレンズ保持部材に固定する前に、コイルの端部を付勢部材に接合してもよい。
【００５７】
また、本実施の形態において、熱カシメによりバネ片がレンズ保持部材に固定されたが、この構成に限定されない。付勢部材をレンズ保持部材に安定姿勢で固定可能であれば、どのような方法で固定してもよい。
【００５８】
また、本実施の形態において、レーザ半田付けによりバネ片とコイルの端部とが接合されたが、この構成に限定されない。付勢部材とコイルの端部との接合時におけるレンズ駆動装置の破損を防止可能な接合方法であれば、付勢部材とコイルの端部とがどのように接合されてもよい。例えば、半田ペース等の溶融接合材を用いずに、レーザ溶接により付勢部材とコイルの端部とを接合してもよい。
【符号の説明】
【００５９】
１  レンズ駆動装置
２  ロアケース
３  外部端子
４  下板バネ（付勢部材）
５  レンズ保持部材
６  磁石（移動機構）
７  ヨーク（移動機構）
８  上板バネ
９  トップカバー
４１  バネ片（付勢部材）
４２  外側板部
４３  内側板部
４４  バネ板部
４５  挿通孔
５３  フランジ部
５６  突起部
５７  絡げピン
５９  コイル
６２  接合部
６３  切欠部
６５  半田ペースト（溶融接合材）
７３  外周壁部
７４  内壁部
【図１】
2012242647.tif 000003
【図２】
2012242647.tif 000004
【図３】
2012242647.tif 000005
【図４】
2012242647.tif 000006
【図５】
2012242647.tif 000007
【図６】
2012242647.tif 000008
【図７】
2012242647.tif 000009